(57)【要約】【課題】ハイブリッド車両における燃費の向上を図る。【解決手段】出発地から目標とする地点に到達するまでの経路内の任意の区間について低燃費走行となるような推奨アクセル操作のスケジュールを予め定められた区間毎に規定し、走行時、推奨アクセル操作のスケジュールおよび車両の現在位置に基づいて車両が位置する区間における推奨アクセル操作を表示する（Ｓ５１０）。【選択図】図１０
2011025778.tif 000002
【特許請求の範囲】
【請求項１】
エンジンとモータを走行用の動力源とし、アクセル操作に応じて複数の走行モードを切り替えて走行するハイブリッド車両に搭載され、前記エンジンと前記モータの駆動制御を行うハイブリッド車両の駆動制御装置であって、
前記車両の現在位置を特定する現在位置特定手段と、
出発地から目標とする地点に到達するまでの経路内の任意の区間について低燃費走行となるようなアクセル操作のスケジュールを予め定められた区間毎に規定するアクセル操作スケジュール規定手段と、
前記アクセル操作のスケジュールおよび前記車両の現在位置に基づいて前記車両が位置する区間における推奨アクセル操作を表示する表示手段と、を備えたことを特徴とするハイブリッド車両の駆動制御装置。
【請求項２】
出発地から目標とする地点に到達するまでの経路内の任意の区間について低燃費走行となるような制御指標のスケジュールを予め定められた区間毎に規定する制御指標規定手段を備え、
前記アクセル操作スケジュール規定手段は、前記制御指標のスケジュールに基づいて前記アクセル操作のスケジュールを規定することを特徴とする請求項１に記載のハイブリッド車両の駆動制御装置。
【請求項３】
前記制御指標は、前記モータを駆動するバッテリのバッテリ充電量の目標値であり、
前記アクセル操作スケジュール規定手段は、前記バッテリ充電量の目標値が増加する区間については、前記バッテリの充電が実施されるようなアクセル操作として前記アクセル操作のスケジュールを規定することを特徴とする請求項２に記載のハイブリッド車両の駆動制御装置。
【請求項４】
前記アクセル操作スケジュール規定手段は、前記バッテリ充電量の目標値が減少する区間については、前記バッテリの充電が実施されないようなアクセル操作として前記アクセル操作のスケジュールを規定することを特徴とする請求項３に記載のハイブリッド車両の駆動制御装置。
【請求項５】
前記車両の走行に伴い前記制御指標を規定するための走行情報を予め定められた区間毎に収集して前記記憶手段に記憶させる情報記憶手段を備え、
前記制御指標規定手段は、前記記憶手段に記憶された前記走行情報に基づいて、前記低燃費走行となるような前記制御指標のスケジュールを予め定められた区間毎に規定することを特徴とする請求項１ないし４のいずれか１つに記載のハイブリッド車両の駆動制御装置。 
【請求項６】
前記表示手段は、アクセル開度に比例して当該アクセル開度を示す領域が大きくなるように車両のアクセル開度を表示するインジケータを有し、前記車両が位置する区間における推奨アクセル操作に対応するアクセル開度の範囲を、前記インジケータ上に強調表示させることを特徴とする請求項１ないし５のいずれか１つに記載のハイブリッド車両の駆動制御装置。
【請求項７】
前記表示手段は、前記走行モード毎に前記アクセル開度の変化に応じてアクセル開度を示す領域の変化する割合が異なるように車両のアクセル開度を表示するインジケータを有し、前記車両が位置する区間における推奨アクセル操作に対応するアクセル開度の範囲を、前記インジケータ上に固定表示させることを特徴とする請求項１ないし５に記載のハイブリッド車両の駆動制御装置。
【発明の詳細な説明】
【技術分野】
【０００１】
本発明は、エンジンとモータを走行用の動力源として走行するハイブリッド車両に搭載され、エンジンとモータの駆動制御を行うハイブリッド車両の駆動制御装置に関するものである。
【背景技術】
【０００２】
従来、ハイブリッド車両に搭載され、アクセルペダルの操作量に応じて変化するアクセル開度を表示部に表示させるとともに、この表示部に、走行モード（ＥＶモードおよびＨＶモード）が切替わるアクセル開度を示すようにした表示装置がある（例えば、特許文献１参照）。
【０００３】
また、車速等の走行履歴を予め定められた区間毎に収集して学習し、学習した走行履歴と目的地までの経路の道路状況とに基づいて目的地までの燃料消費量が最小となるように予め定められた区間毎にハイブリッド車両のバッテリの充電量の目標値（目標ＳＯＣ）のスケジュールを設定し、このスケジュールに従って各区間におけるハイブリッド車両のバッテリの充電量を目標ＳＯＣに近づけるように、エンジンとモータの駆動制御を行うようにしたハイブリッド車両の駆動制御装置がある（例えば、特許文献２参照）。
【先行技術文献】
【特許文献】
【０００４】
【特許文献１】特開２００８−７４３２１号公報
【特許文献２】特開２０００−３３３３０５号公報
【発明の概要】
【発明が解決しようとする課題】
【０００５】
上記特許文献１に記載された装置を搭載したような車両では、運転者は表示部を視認しながらＥＶモード走行を多用するようなアクセル操作を行うことで、燃費向上を図ることが可能となっている。
【０００６】
しかし、このように単にＥＶモード走行を多用するようなアクセル操作を行うよりも、上記特許文献２に記載された装置のように、予め目的地までの燃料消費量が最小となるように区間毎の制御目標値のスケジュールを設定し、このスケジュールに従ってエンジンとモータの駆動制御を行う方が、燃費低減効果が大きくなる場合がある。例えば、停車回数の多い区間ではＨＶ走行よりもＥＶ走行を多用した方が燃費の良好な走行となるが、そのような停車回数の多い区間の手前でＥＶ走行を多用してしまうと、その停車回数の多い区間でバッテリ残量が低下してしまい、停車回数の多い区間で車両が停車した状態でエンジンを駆動させてバッテリを充電しなければならなくなり、燃費が悪化してしまうことになる。このような場合には、停車回数の多い区間の手前でＨＶ走行を多用し、停車回数の多い区間でＥＶ走行するように計画し、この計画に従うように走行することで、区間全体の燃費を向上させることが可能となる。
【０００７】
しかしながら、上記特許文献２に記載されたような装置では、走行区間全体としてみた場合の自車位置における低燃費走行に適した走行モードを運転者が認識することができないので、例えば、運転者がアクセルペダルを深く踏み込んでモータを駆動するバッテリを充電した方が低燃費走行に適した区間を走行しているにも関わらず、ＥＶ走行を多用しようとアクセルペダルが十分に踏み込まれないといった状況が生じ、本来の燃費向上効果が得られないといった問題が生じる。
【０００８】
本発明は上記問題に鑑みたもので、ハイブリッド車両における燃費の向上を図ることを目的とする。
【課題を解決するための手段】
【０００９】
上記目的を達成するため、請求項１に記載の発明は、車両の現在位置を特定する現在位置特定手段と、出発地から目標とする地点に到達するまでの経路内の任意の区間について低燃費走行となるようなアクセル操作のスケジュールを予め定められた区間毎に規定するアクセル操作スケジュール規定手段と、アクセル操作のスケジュールおよび車両の現在位置に基づいて車両が位置する区間における推奨アクセル操作を表示する表示手段と、を備えたことを特徴としている。
【００１０】
このような構成によれば、出発地から目標とする地点に到達するまでの経路内の任意の区間について低燃費走行となるようなアクセル操作のスケジュールが予め定められた区間毎に規定され、アクセル操作のスケジュールおよび車両の現在位置に基づいて車両が位置する区間における推奨アクセル操作が表示されるので、運転者は車両が位置する区間における推奨アクセル操作を認識することができ、ハイブリッド車両における燃費の向上を図ることができる。
【００１１】
また、請求項２に記載の発明は、出発地から目標とする地点に到達するまでの経路内の任意の区間について低燃費走行となるような制御指標のスケジュールを予め定められた区間毎に規定して記憶手段に記憶させる制御指標記憶制御手段を備え、アクセル操作スケジュール規定手段は、制御指標のスケジュールに基づいてアクセル操作のスケジュールを規定することを特徴としている。
【００１２】
このように、出発地から目標とする地点に到達するまでの経路内の任意の区間について低燃費走行となるような制御指標のスケジュールを予め定められた区間毎に規定し、この制御指標のスケジュールに基づいてアクセル操作のスケジュールを規定することができる。
【００１３】
また、請求項３に記載の発明は、制御指標を、モータを駆動するバッテリのバッテリ充電量の目標値とし、アクセル操作スケジュール規定手段は、バッテリ充電量の目標値が増加する区間については、バッテリの充電が実施されるようなアクセル操作としてアクセル操作のスケジュールを規定することを特徴としている。
【００１４】
このように、バッテリ充電量の目標値が増加する区間については、バッテリの充電が実施されるようなアクセル操作として規定することができる。
【００１５】
また、請求項４に記載の発明は、バッテリ充電量の目標値が減少する区間については、バッテリの充電が実施されないようなアクセル操作としてアクセル操作のスケジュールを規定することを特徴としている。
【００１６】
このように、バッテリ充電量の目標値が減少する区間については、バッテリの充電が実施されないようなアクセル操作として規定することができる。
【００１７】
また、請求項５に記載の発明は、車両の走行に伴い制御指標を規定するための走行情報を予め定められた区間毎に収集して記憶手段に記憶させる情報記憶手段を備え、制御指標規定手段は、記憶手段に記憶された走行情報に基づいて、低燃費走行となるような制御指標のスケジュールを予め定められた区間毎に規定することを特徴としている。
【００１８】
このように、車両の走行に伴って収集した制御指標を規定するための走行情報に基づいて制御指標のスケジュールを規定することができる。
【００１９】
また、表示手段は、請求項６に記載の発明のように、アクセル開度に比例して当該アクセル開度を示す領域が大きくなるように車両のアクセル開度を表示するインジケータを有し、車両が位置する区間における推奨アクセル操作に対応するアクセル開度の範囲を、インジケータ上に強調表示させることができ、請求項７に記載の発明のように、走行モード毎にアクセル開度の変化に応じてアクセル開度を示す領域の変化する割合が異なるように車両のアクセル開度を表示するインジケータを有し、車両が位置する区間における推奨アクセル操作に対応するアクセル開度の範囲を、インジケータ上に固定表示させることもできる。
【図面の簡単な説明】
【００２０】
【図１】第１実施形態に係るハイブリッド車両の駆動制御装置を搭載した車両の概略構成を示す図である。
【図２】ナビゲーションＥＣＵの構成を示す図である。
【図３】制御目標値記憶処理のフローチャートである。
【図４】データ収集処理のフローチャートである。
【図５】耐久記憶媒体に記憶された走行情報の一例を表した図である。
【図６】充電計画作成処理のフローチャートである。
【図７】（ａ）は、計画区間において収集された車速および駆動電力の一例を示す図、（ｂ）は、計画区間において道路区間毎に決定された走行方法の一例を示す図である。
【図８】目標ＳＯＣの推移の予想および推奨走行モードの一例を示す図である。
【図９】制御目標値学習処理のフローチャートである。
【図１０】走行時処理のフローチャートである。
【図１１】第１実施形態に係る表示部の表示について説明するための図である。
【図１２】第２実施形態に係る表示部の表示について説明するための図である。
【図１３】第３実施形態に係るハイブリッド車両の駆動制御装置を搭載した車両の概略構成を示す図である。
【図１４】渋滞情報受信時処理のフローチャートである。
【発明を実施するための形態】
【００２１】
（第１実施形態）
本発明の第１実施形態に係るハイブリッド車両の駆動制御装置を搭載した車両の概略構成を図１に概略的に示す。このハイブリッド車両には、内燃機関としてのエンジン１、発電機２、モータ３、差動装置４、タイヤ５ａ、５ｂ、インバータ６、ＤＣリンク７、インバータ８、バッテリ９、ＨＶ制御部１０、ＧＰＳ受信機１１、方位センサ１２、車速センサ１３、地図ＤＢ記憶部１４、勾配センサ１５、表示部１６およびナビゲーションＥＣＵ２０が搭載されている。
【００２２】
このハイブリッド車両は、エンジン１およびモータ３を走行用の動力源とし、アクセル操作に応じて複数の走行モードを切り替えて走行する。エンジン１を動力源とする場合は、エンジン１の回転力が、図示しないクラッチ機構および差動装置４を介してタイヤ５ａ、５ｂに伝わる。また、モータ３を動力源とする場合は、バッテリ９の直流電力がＤＣリンク７およびインバータ８を介して交流電力に変換され、その交流電力によってモータ３が作動し、このモータ３の回転力が、差動装置４を介してタイヤ５ａ、５ｂに伝わる。以下、エンジン１のみを動力源とする走行のモードをエンジン走行モード、モータ３のみを動力源とする走行のモードをモータ走行モード、エンジン１とモータ３を動力源とする走行のモードをハイブリッド走行モードという。ただし、以下、ハイブリッド走行モードとエンジン走行モードを含めてハイブリッド走行モードという。
【００２３】
また、エンジン１の回転力は発電機２にも伝えられ、その回転力によって発電機２が交流電力を生成し、生成された交流電力はインバータ６、ＤＣリンク７を介して直流電力に変換され、その直流電力がバッテリ９に蓄積される。このようなバッテリ９への充電は、燃料を使用したエンジン１の作動による充電である。以下、この種の充電を、内燃充電という。
【００２４】
また、図示しない制動機構によりハイブリッド車両が減速すると、その減速時の抵抗力がモータ３に回転力として加わり、この回転力によってモータ３が交流電力を生成し、生成された交流電力がインバータ８、ＤＣリンク７を介して直流電力に変換され、その直流電力がバッテリ９に蓄積される。以下、この種の充電を、回生充電という。
【００２５】
ＨＶ制御部１０は、ナビゲーションＥＣＵ２０からの指令等に応じて、発電機２、モータ３、インバータ６、インバータ８、バッテリ９の上述のような作動の実行・非実行等を制御する。ＨＶ制御部１０は、例えばマイクロコンピュータを用いて実現してもよいし、下記のような機能を実現するための専用の回路構成を有するハードウェアであってもよい。
【００２６】
より具体的には、ＨＶ制御部１０は、現在ＳＯＣ、基準ＳＯＣという２つの値を記憶しており、また、以下の（Ａ）、（Ｂ）の処理を行う。
（Ａ）アクセル開度、バッテリ９のバッテリ充電量、バッテリ９の温度等に基づいて、動力源の異なる複数の走行モード（モータ走行モード、ハイブリッド走行モード）の切り替えを繰り返し行うとともに、ナビゲーションＥＣＵ２０から入力される制御目標値（目標ＳＯＣ）に基づいて、基準ＳＯＣの値を変化させ、ハイブリッド車両のバッテリ９の充電量を目標ＳＯＣに近づけるように、発電機２、モータ３、インバータ６、インバータ８等を制御する。また、内燃充電の実行・非実行、回生充電の実行・非実行の切り替えも繰り返し行う。ＨＶ制御部１０は、現在ＳＯＣがこの目標ＳＯＣおよびその近傍の値を維持するよう、走行方法の決定および決定した走行方法に基づくアクチュエータの制御を実行する。
（Ｂ）定期的に現在ＳＯＣをナビゲーションＥＣＵ２０に通知する。
【００２７】
ＳＯＣ（State of Charge）とは、バッテリの残量を表す指標であり、その値が高いほど残量が多い。現在ＳＯＣは、現在のバッテリ９のＳＯＣを示す。ＨＶ制御部１０は、この現在ＳＯＣの値を、逐次バッテリ９の状態を検出することで、繰り返し更新する。基準ＳＯＣは、ＨＶ制御部１０にて発電／アシストを判断する制御目標値（例えば６０パーセント）である。この値はナビゲーションＥＣＵ２０からの制御によって変更可能となっている。
【００２８】
ＨＶ制御部１０は、ナビゲーションＥＣＵ２０から入力される制御目標値に基づいて、ハイブリッド車両の走行モードの切り替え、また、内燃充電の実行・非実行、回生充電の実行・非実行を切り替える制御を行う。本実施形態における制御目標値は目標ＳＯＣである。ＨＶ制御部１０は、現在ＳＯＣがこの目標ＳＯＣおよびその近傍の値を維持するよう、走行方法の決定および決定した走行方法に基づくアクチュエータの制御を実行する。
【００２９】
ＧＰＳ受信機１１、方位センサ１２、および車速センサ１３は、それぞれハイブリッド車両の位置、進行方向、走行速度を特定する周知のセンサである。
【００３０】
地図ＤＢ記憶部１４は、地図データを記憶する記憶媒体である。地図データは、複数の交差点のそれぞれに対応するノードデータ、および、交差点と交差点を結ぶ道路区間すなわちリンクのそれぞれに対応するリンクデータを有している。１つのノードデータは、当該ノードの識別番号、所在位置情報、種別情報を含む。また、１つのリンクデータは、当該リンクの識別番号（以下、リンクＩＤという）、位置情報、種別情報等を含んでいる。
【００３１】
ここで、リンクの位置情報には、当該リンクが含む形状補完点の所在位置データ、および、当該リンクの両端のノードおよび形状補完点のうち隣り合う２つを繋ぐセグメントのデータを含んでいる。各セグメントのデータは、当該セグメントのセグメントＩＤ、当該セグメントの勾配、向き、長さ等の情報を有している。
【００３２】
勾配センサ１５は、車両のピッチ方向、ヨー方向、ロール方向の方位変化量を検出するジャイロセンサによって構成されている。このジャイロセンサによって検出されるピッチ方向の方位変化量から道路勾配を算出し、道路勾配を示す情報を出力する。
【００３３】
表示部１６は、車両のメータ内等に配置され、アクセル開度を示すインジケータとして構成されている。
【００３４】
図２に示す様に、ナビゲーションＥＣＵ２０は、ＲＡＭ２１、ＲＯＭ２２、データ書き込み可能な耐久記憶媒体２３、および制御部２４を有している。耐久記憶媒体とは、ナビゲーションＥＣＵ２０の主電源の供給が停止してもデータを保持し続けることができる記憶媒体をいう。耐久記憶媒体２３としては、例えば、ハードディスク、フラッシュメモリ、ＥＥＰＲＯＭ等の不揮発性記憶媒体、および、バックアップＲＡＭがある。
【００３５】
制御部２４は、ＲＯＭ２２または耐久記憶媒体２３から読み出したプログラムを実行し、その実行の際にはＲＡＭ２１、ＲＯＭ２２、および耐久記憶媒体２３から情報を読み出し、ＲＡＭ２１および耐久記憶媒体２３に対して情報の書き込みを行い、ＨＶ制御部１０、ＧＰＳ受信機１１、方位センサ１２、車速センサ１３、地図ＤＢ記憶部１４、勾配センサ１５等と信号の授受を行う。なお、制御部２４は、ＧＰＳ受信機１１、方位センサ１２および車速センサ１３から取得した現在位置を特定するための情報に基づいて、現在位置を特定する現在位置処理等を実施する。
【００３６】
また、図２に示すように、制御部２４は、マップマッチング処理２５、経路算出処理２６、ナビゲーション処理２７、制御目標値記憶処理２８、走行時処理２９等の処理を、所定のプログラムを実行することで実現する。
【００３７】
マップマッチング処理２５において、制御部２４は、ＧＰＳ受信機１１、方位センサ１２および車速センサ１３から取得した現在位置を特定するための情報に基づいて、現在位置が地図ＤＢ記憶部１４の地図中のどの道路上にいるかを判定する。
【００３８】
経路算出処理２６において、制御部２４は、図示しない操作装置を用いたユーザによる目的地指定に基づいて、指定された目的地までの最適な経路を、地図データを用いて決定する。
【００３９】
ナビゲーション処理２７において、制御部２４は、目的地点までの走行経路に沿ってハイブリッド車両を走行させるためのガイド表示を、図示しない画像表示装置、スピーカ等を用いて、ドライバに対して行う。
【００４０】
制御目標値記憶処理２８において、制御部２４は、出発地から目的地に到達するまでの走行に伴って走行情報を一定走行距離毎に収集して耐久記憶媒体２３に記憶するとともに、耐久記憶媒体２３に記憶した走行情報に基づいて出発地から目的地に至る経路について予め定められた区間毎に目標ＳＯＣのスケジュールを規定し、この目標ＳＯＣのスケジュールを耐久記憶媒体２３に記憶させる処理を行う。また、後述する図１０に示す走行時処理２９において、次回、出発時に、出発地および目的地を同一とする目標ＳＯＣのスケジュールが耐久記憶媒体２３に記憶されていることを判定すると、この耐久記憶媒体２３に記憶した目標ＳＯＣのスケジュールに従ってエンジンとモータの駆動制御を行うようになっている。
【００４１】
図３に、制御目標値記憶処理２８のフローチャートを示す。車両のイグニッションスイッチがオン状態になると、本駆動制御装置は動作状態となり、制御部２４は、各種処理を実施する。そして、制御部２４は、乗員の操作に応じて図３に示す処理を実施する。
【００４２】
まず、目的地を特定する（Ｓ１０２）。具体的には、目的地の入力を促す画面を表示させ、この画面に従って乗員の操作により指定された地点または施設を目的地として特定する。
【００４３】
次に、走行情報を収集するデータ収集処理を実施する（Ｓ２００）。このデータ収集処理Ｓ２００のフローチャートを図４に示す。
【００４４】
制御部２４は、まず、走行情報を取得する（Ｓ２０２）。本実施形態では、一定距離（例えば、５メートル）毎に、車速（ｋｍ／ｈ）、道路勾配（％）、駆動動力（Ｗ）、区間内の走行時間（秒）、区間内の停車率（％）、モータ３を駆動する電気負荷（Ｗ）を走行情報として取得する。また、同時に、地図データを参照して自車が位置する道路の道路識別子を特定する。
【００４５】
次に、走行履歴を保存する（Ｓ２０４）。具体的には、自車両が位置する道路の道路識別子と関連付けて、Ｓ２０２にて収集した走行情報を耐久記憶媒体２３に記憶させる。
【００４６】
図５に、耐久記憶媒体２３に記憶された走行情報の一例を示す。なお、この図には、車速と勾配のみが示されている。このように、耐久記憶媒体２３には、一定距離毎に収集された車速、道路勾配等の走行情報が道路識別子と関連付けて記憶される。なお、道路識別子は、道路区間を識別するためのリンクＩＤあるいはセグメントＩＤである。
【００４７】
図３の説明に戻り、次に、目的地に到着したか否かを判定する（Ｓ１０４）。具体的には、自車両の現在位置が目的地を基準とする一定範囲内に含まれるか否かに基づいて目的地に到着したか否かを判定する。
【００４８】
自車両の現在位置が目的地を基準とする一定範囲内に含まれない場合、Ｓ１０４の判定はＮＯとなり、Ｓ２００のデータ収集処理が繰り返される。すなわち、一定距離毎に走行情報が収集され、道路識別子と関連付けて耐久記憶媒体２３に記憶する処理が繰り返される。
【００４９】
そして、自車両の現在位置が目的地を基準とする一定範囲内に含まれると、Ｓ１０４の判定はＹＥＳとなり、次に、充電計画作成処理Ｓ３００を実施する。この充電計画作成処理Ｓ３００のフローチャートを図６に示す。この充電計画作成処理Ｓ３００においては、計画区間内の充電計画として、当該区間内の車両の走行方法の予定を作成する。
【００５０】
具体的には、まず、出発地から目的地までの走行経路を計画区間として、この計画区間を走行するのに必要なエネルギーを、出発地から目的地に到着するまでの走行に伴って耐久記憶媒体２３に記憶された走行情報に基づいて算出する（Ｓ３０２）。なお、必要なエネルギーの算出方法については周知（特開２００１−１８３１５０号公報、特開２００８−１８３９３７号公報、「新エネルギー自動車の開発１２３〜１２４頁」ＣＭＣ出版等参照）であるので、ここではその詳細についての説明は省略する。
【００５１】
次に、耐久記憶媒体２３に記憶された走行情報から道路識別子毎に走行方法を決定する（Ｓ３０４）。具体的には、ＨＶ制御部１０より基準ＳＯＣを取得し、この基準ＳＯＣと出発地から目的地に到着するまでの走行に伴って耐久記憶媒体２３に記憶された走行情報とに基づいて、出発地から目的地までの計画区間において、発電効率およびアシスト効率を算出して回生充電、発電重視、アシスト重視といった制御方法を道路識別子毎に決定する。図７（ａ）に、計画区間における車速および駆動電力の一例を示す。ここで示す駆動動力＝必要な走行エネルギーである。また、図７（ｂ）に、計画区間において道路識別子毎に決定された走行方法の一例を示す。
【００５２】
次に、出発地から目的地に到着するまでの走行に伴って耐久記憶媒体２３に記憶された走行情報に基づいて低燃費走行となるような全区間のＳＯＣ管理計画（制御指標のスケジュールに相当する）を作成する（Ｓ３０６）。ＳＯＣ管理計画は、目的地までの目標ＳＯＣ（制御目標値）の推移を予想したものである。例えば、停車回数の多い区間の直前の区間では、その区間で目標ＳＯＣが増加し、その次の停車回数の多い区間では、その区間で目標ＳＯＣが減少するようにＳＯＣ管理計画が作成される。なお、このＳＯＣ管理計画の立案については周知（特開２００８−１８３９３７号公報）であるので、ここではその詳細についての説明は省略する。
【００５３】
次に、道路区間毎に推奨走行モードを選択する（Ｓ３０８）。本実施形態では、バッテリ９の充電が実施される走行モードとバッテリ９の充電が実施されない走行モードのいずれかを推奨走行モードとして選択する。具体的には、目標ＳＯＣが増加する区間については、バッテリ９の充電が実施される走行モード（ハイブリッド走行モード）を推奨走行モードとして選択し、目標ＳＯＣが減少する区間については、バッテリ９の充電が実施されない走行モード（モータ走行モード）を推奨走行モードとして選択する。走行時、バッテリ９の充電が実施されるような走行モードとするためには、アクセル踏み込み量が深く、アクセル開度が比較的大きくなるようなアクセル操作とする必要があり、バッテリ９の充電が実施されないような走行モードとするためには、アクセル踏み込み量が浅く、アクセル開度が比較的小さくなるようなアクセル操作とする必要がある。このように、推奨走行モードのスケジュールを道路区間毎に規定する。
【００５４】
図８に、このような目標ＳＯＣの推移の予想および推奨走行モードの一例を示す。なお、この図に示される目標ＳＯＣは、各区間の終点における目標ＳＯＣである。図中に示してないが、道路区間１の始点の目標ＳＯＣは６０となっている。道路区間１では、区間内で目標ＳＯＣが６０から７０に増加するため、バッテリ９を充電するため、ハイブリッド走行モードを推奨走行モードとして選択する。また、道路区間２、３では、区間内で目標ＳＯＣが減少するため、バッテリのエネルギーを利用したモータ走行が実施されるように、モータ走行モードを推奨走行モードとして選択する。このようにして、道路区間毎に目標ＳＯＣおよび推奨走行モードを規定したＳＯＣ管理計画が作成される。
【００５５】
図３の説明に戻り、次に、制御目標値を学習して耐久記憶媒体２３に記憶する制御目標値学習処理Ｓ４００を実施する。この制御目標値学習処理Ｓ４００のフローチャートを図９に示す。
【００５６】
この制御目標値学習処理では、まず、道路区間別に制御目標値を取得する（Ｓ４０２）。具体的には、ＳＯＣ管理計画に道路識別子に対応付けて規定された各制御目標値（目標ＳＯＣ）を耐久記憶媒体２３から取得する。
【００５７】
次に、道路区間別に既存学習情報の読み出しを行う（Ｓ４０４）。すなわち、同一計画区間における制御目標値が既に耐久記憶媒体２３に記憶されている場合に、耐久記憶媒体２３から同一計画区間における制御目標値の読み出しを行う。なお、同一計画区間における制御目標値が耐久記憶媒体２３に記憶されていない場合には、制御目標値の読み出しを行うことなく、次のＳ４０６へ進む。
【００５８】
Ｓ４０６では、道路区間別に制御目標値の最適化を行う。同一計画区間における制御目標値が既に耐久記憶媒体２３に記憶されている場合には、耐久記憶媒体２３に記憶されている同一計画区間における制御目標値と、Ｓ４０２にて取得した制御目標値とを単純平均した値を新たな制御目標値とし、同一計画区間における制御目標値が耐久記憶媒体２３に記憶されていない場合には、Ｓ４０２にて取得した制御目標値を新たな制御目標値とする。
【００５９】
次に、この新たな制御目標値を耐久記憶媒体２３に記憶する（Ｓ４０８）。具体的には、出発地、目的地とともに道路識別子に対応付けて規定された各制御目標値（目標ＳＯＣ）を耐久記憶媒体２３に記憶させる。
【００６０】
次に、推奨走行モードのスケジュールを記憶する（Ｓ４０９）。具体的には、Ｓ４０８にて耐久記憶媒体２３に記憶された制御目標値に基づき、上記したＳ３０８に示した処理と同様に、各道路区間の推奨走行モードのスケジュールを規定し、この推奨走行モードのスケジュールを耐久記憶媒体２３に記憶する。このように、道路区間毎に学習した制御目標値に基づいて推奨走行モードのスケジュールを規定し、耐久記憶媒体２３に記憶させる。
【００６１】
次に、走行時処理２９について説明する。図１０に、走行時処理２９のフローチャートを示す。車両のイグニッションスイッチがオン状態になった後、乗員の目的地設定操作に応じて図１０に示す処理を実施する。
【００６２】
まず、計画区間を特定する（Ｓ５０２）。具体的には、乗員の操作に応じて目的地が特定されると、車両の現在位置から目的地までの経路を計画区間として特定する。
【００６３】
次に、学習情報があるか否かを判定する（Ｓ５０４）。具体的には、出発地から目的地に到達するまでの区間が同一で、その区間に含まれる計画区間のＳＯＣ管理計画が耐久記憶媒体２３に記憶されているか否かに基づいて学習情報があるか否かを判定する。
【００６４】
ここで、出発地から目的地に到達するまでの区間が同一で、その区間に含まれる計画区間のＳＯＣ管理計画が耐久記憶媒体２３に記憶されている場合、Ｓ５０４の判定はＹＥＳとなり、次に、制御目標値を読み出す（Ｓ５０６）。具体的には、耐久記憶媒体２３から計画区間のＳＯＣ管理計画に規定されている各区間の制御目標値を耐久記憶媒体２３から読み出す。
【００６５】
次に、車両が位置する区間における制御目標値（目標ＳＯＣ）をＨＶ制御部１０へ送信する（Ｓ５０８）。なお、ＨＶ制御部１０は、この制御目標値（目標ＳＯＣ）に基づいて、基準ＳＯＣの値を変化させ、ハイブリッド車両のバッテリ９の充電量を目標ＳＯＣに近づけるように、発電機２、モータ３、インバータ６、インバータ８等を制御する。
【００６６】
次に、推奨走行モードの表示を指示する（Ｓ５１０）。具体的には、車両が位置する区間における推奨走行モードを示す情報を表示部１６へ送信する。
【００６７】
表示部１６は、この推奨走行モードを示す情報の入力に応じて、推奨走行モードに対応するアクセル開度の範囲を、インジケータ上に点滅表示させる。
【００６８】
ここで、図１１を参照して、表示部１６の表示について説明する。図１１（ａ）は、計画区間（区間１〜３）を地図形式で示したものである。区間１の推奨走行モードはハイブリッド走行モード（ＨＶモード）、区間２、３の推奨走行モードはモータ走行モード（ＥＶモード）となっている。
【００６９】
図１１（ｂ）は、（ａ）に示した各計画区間における各区間のインジケータの表示例を示したものである。図１１（ｂ）の下段は、区間１を走行している場合の表示部１６の表示例、図１１（ｂ）の上段は、区間２、３を走行している場合の表示部１６の表示例である。
【００７０】
表示部１６には、回生状態を示すチャージエリア（ＣＨＣ）、燃費に良い走行状態を示すエコエリア（ＥＣＯ）、燃費に良くない走行状態を示すパワーエリア（ＰＷＲ）が示される。
【００７１】
運転者がアクセルペダルを踏み込み、アクセル開度が大きくなると、エコエリア（ＥＣＯ）の左端からアクセル開度を示す領域（図中、斜線で示す）が右側へと伸びるようになっている。実際には、ＬＥＤの点灯によりアクセル開度を示す領域（図中、斜線で示す）が明るくなり、このアクセル開度を示す領域が右側へと伸びて見えるようになっている。また、本実施形態では、アクセル開度に比例してアクセル開度を示す領域が増加するように車両のアクセル開度が表示される。
【００７２】
また、エコエリア（ＥＣＯ）には、車両位置において低燃費走行に適した走行モードとなるアクセル開度の範囲を示す目標ゾーンが点滅するようになっている。具体的には、車両が区間１を走行中の場合には、図１１（ｂ）の下段に示すように、ＨＶ走行モードとなるようなアクセル開度の範囲を示すＨＶ走行ゾーンＢ（図中、太線の枠で示す部分）が点滅し、車両が区間２、３を走行中の場合には、図１１（ｂ）の上段に示すように、ＥＶ走行モードとなるようなアクセル開度の範囲を示すＥＶ走行ゾーンＡ（太線の枠で示す部分）が点滅する。なお、上記低燃費走行に適した推奨走行モードに対応するアクセル開度の範囲の目標ゾーンＡ、Ｂが、車両が位置する区間における推奨アクセル操作に相当する。
【００７３】
車両が区間１を走行中の場合、ＨＶ走行ゾーンＢが点滅し、運転者はアクセル開度を示す領域（図中、斜線で示す）がＨＶ走行ゾーンＢまで伸びるようにアクセルペダルを比較的深く踏み込むようなアクセル操作を行い、車両が区間２、３を走行中の場合、ＥＶ走行ゾーンＡが点滅し、運転者はアクセル開度を示す領域（図中、斜線で示す）がＥＶ走行ゾーンＡに入るようにアクセルペダルを比較的浅く踏み込むようなアクセル操作を行うことで、計画区間全体として低燃費走行が可能となる。
【００７４】
Ｓ５１２では、制御目標値（目標ＳＯＣ）に近づくように現在ＳＯＣが推移しているか否かに基づいてバッテリ９の充電量が計画通りに推移しているか否かを判定する。
【００７５】
ここで、制御目標値に近づくように現在ＳＯＣが推移している場合、Ｓ５１２の判定はＹＥＳとなり、次に、車両が目的地を基準とする所定範囲内に到達したか否かに基づいて車両が目的地に到着したか否かを判定する（Ｓ５１６）。
【００７６】
ここで、車両が目的地を基準とする所定範囲内に到達していない場合、Ｓ５１６の判定はＮＯとなり、Ｓ５０６へ戻る。
【００７７】
また、制御目標値に近づくように現在ＳＯＣが推移していない場合、Ｓ５１２の判定はＮＯとなり、車両が目的地を基準とする所定範囲内に到達する前であっても、駆動制御を中止する（Ｓ５１４）。具体的には、制御目標値の通知を中止する。この場合、ＨＶ制御部１０は、バッテリ９の充電量がこの制御目標値に近づくように駆動制御を行う。また、ＥＶ走行ゾーンＡ、ＨＶ走行ゾーンＢといった目標ゾーンの表示も中止する。
【００７８】
そして、車両が目的地を基準とする所定範囲内に到達すると、Ｓ５１６の判定はＹＥＳとなり、本処理を終了する。
【００７９】
上記した構成によれば、出発地から目的地までの区間について低燃費走行となるような目標ＳＯＣのスケジュールを予め定められた区間毎に規定して記憶手段に記憶させ、この目標ＳＯＣのスケジュールに基づいて推奨走行モードのスケジュールを予め定められた区間毎に規定し、この推奨走行モードのスケジュールおよび車両の現在位置に基づいて車両が位置する区間における推奨走行モードとなるようなアクセル操作を誘導する表示が行われるので、運転者は低燃費走行に適したアクセル操作を認識することができ、ハイブリッド車両における燃費の向上を図ることができる。
【００８０】
また、アクセル開度に比例してアクセル開度を示す領域が大きくなるように車両のアクセル開度を表示させ、低燃費走行に適した走行モードとなるアクセル開度の範囲を、走行モード毎にインジケータ上の異なる位置に強調表示させることができる。
【００８１】
なお、本実施形態では、Ｓ３０８に示したように、出発地から目的地までの区間について低燃費走行となるような推奨走行モードのスケジュールを規定し、この推奨アクセル操作スケジュールおよび車両の現在位置に基づいて車両が位置する区間における推奨走行モードとなるようなアクセル操作を誘導する表示を行う構成を示したが、低燃費走行となるような推奨走行モードのスケジュールではなく、直接、低燃費走行となるようなアクセル操作のスケジュールを規定し、このアクセル操作スケジュールおよび車両の現在位置に基づいて車両が位置する区間における推奨アクセル操作を表示するように構成してもよい。この場合、例えば、モータを駆動するバッテリの充電が実施されるようなアクセル操作とモータを駆動するバッテリの充電が実施されないようなアクセル操作を切り替えて、低燃費走行となるようなアクセル操作のスケジュールを規定することができる。
【００８２】
（第２実施形態）
第２実施形態に係る表示部１６の表示例を図１２に示す。（ａ）は、計画区間（区間１〜３）を地図形式で示したもので、（ｂ）は、（ａ）に示した各計画区間における各区間のインジケータの表示例を示したものである。上記第１実施形態では、図１１（ｂ）に示したように、アクセル開度に比例してアクセル開度を示す領域（斜線部）が大きくなるように車両のアクセル開度を表示させ、推奨走行モードに対応するアクセル開度の範囲を、インジケータ上の異なる位置に点滅させたが、本実施形態では、図１２（ｂ）に示すように、推奨走行モードに対応するアクセル開度の範囲をインジケータ上に固定表示し、走行モード毎にアクセル開度の変化に応じてアクセル開度を示す領域の変化する割合が異なるように車両のアクセル開度を表示させる。具体的には、モータ走行モード時には、ハイブリッド走行モード時と比較して、アクセルペダルの踏み込み量に対してアクセル開度を示す領域（図中、斜線で示す）が敏感に反応して伸びるようになっている。したがって、モータ走行モードでは、アクセル開度を示す領域（図中、斜線で示す）がＨＶ走行ゾーンＢに入らないように、アクセルペダルを浅く踏み込むようなアクセル操作となり、ハイブリッド走行モード時では、アクセル開度を示す領域（図中、斜線で示す）がＨＶ走行ゾーンＢに入るように、アクセルペダルを深く踏み込むようなアクセル操作となる。
【００８３】
（第３実施形態）
第３実施形態に係るハイブリッド車両の駆動制御装置を搭載した車両の概略構成を図１３に示す。本実施形態に係るハイブリッド車両の駆動制御装置の構成は、図１に示した構成と比較して、更に、渋滞情報を受信するためのＶＩＣＳ受信機１７を備えた点が異なる。
【００８４】
また、本実施形態におけるナビゲーションＥＣＵ２０は、図３に示した制御目標値記憶処理２８を実施した後、ＶＩＣＳ受信機１７を介して受信した渋滞情報に基づいて走行先に渋滞区間があることを判定すると、渋滞区間を低燃費で走行可能となるようなアクセル開度の範囲をインジケータ上に表示させる渋滞情報受信時処理を実施する。
【００８５】
図１４に、この渋滞情報受信時処理のフローチャートを示す。ナビゲーションＥＣＵ２０は、図３に示した制御目標値記憶処理２８を実施した後、ＶＩＣＳ受信機１７を介して渋滞情報が受信されると、図１４に示す処理を実施する。なお、本実施形態において、渋滞情報には、渋滞区間（渋滞開始地点）、渋滞区間の平均車速、渋滞区間長もしくは渋滞を通過するのに要する時間が含まれるものとする。
【００８６】
まず、受信した渋滞情報に基づいて走行先に渋滞区間が存在するか否かを判定する（Ｓ６００）。
【００８７】
ここで、走行先に渋滞区間が存在しないと判定した場合、Ｓ６００の判定はＮＯとなり、本処理を終了する。
【００８８】
また、走行先に渋滞区間が存在することを判定した場合、その渋滞区間をＥＶ走行重視で走行する場合にバッテリ９で消費される消費電力を特定する（Ｓ６０２）。本実施形態では、その渋滞区間をＥＶ走行モードで走行する場合にモータ３を駆動するバッテリ９で消費される消費電力を算出する。ここで、エアコン等の補機により消費される単位時間当たりのエネルギーをＡ（ｋＷ）、渋滞区間を通過するのに要する時間をＢ（秒）、渋滞区間を通過する際に補機により消費されるエネルギーをＣ、渋滞区間をＥＶ走行する際に必要となるエネルギーをＤ（ｋＷ）とすると、渋滞区間をＥＶ走行モードで走行する場合にバッテリ９で消費される消費電力Ｅは、Ｅ＝Ａ×Ｂ＋Ｄ＝Ｃ＋Ｄとして算出することができる。本実施形態において、渋滞区間をＥＶ走行する際に必要となるエネルギーＤ（ｋＷ）は、統計的手法を用いてモデル化されたデータを用いる。例えば、平均車速が時速１０キロメートル（秒速２．７メートル）の渋滞区間であれば、「時速０キロメートルから７秒で時速２０キロメートル（ｋｍ／ｈ）まで加速し、１５秒定常走行し、７秒で時速０キロメートル（ｋｍ／ｈ）まで減速し１１秒間停止」という４０秒間のモデルを用い、渋滞区間の区間長が１０キロメートルであれば、Ｄ＝４０秒間の走行で消費されるエネルギー×１０（ｋｍ）÷２．７（ｍ／ｓ）÷４０（ｓ）として、渋滞区間をＥＶ走行する際に必要となるエネルギーＤを算出する。また、渋滞区間の区間長が５キロメートルであれば、Ｄ＝４０秒間の走行で消費されるエネルギー×５（ｋｍ）÷２．７（ｍ／ｓ）÷４０（ｓ）として渋滞区間をＥＶ走行する際に必要となるエネルギーＤを算出する。なお、４０秒間の走行で消費されるエネルギーは予め規定された車両固有の値であり、耐久記憶媒体２３に記憶されている。本実施形態では、このようにＶＩＣＳ情報で受信する平均車速ごとに走行モデルをもち同じ要領で算出する。
【００８９】
次に、この渋滞区間をＥＶ走行モードで走行する場合にバッテリ９で消費される消費電力Ｅと、予め定められたバッテリ９のバッテリ残量の下限規格値Ｆから、渋滞区間の進入地点で必要とされる必要バッテリ残量Ｇを特定する（Ｓ６０４）。具体的には、バッテリ９で消費される消費電力に対するバッテリ残量の特性を示すバッテリ特性データを用いて渋滞区間の進入地点で必要とされる必要バッテリ残量Ｇを特定する。本実施形態では、バッテリ９のバッテリ残量の下限規格値Ｆとして、バッテリ残量の低下時にエンジン１が始動してバッテリ９の充電が開始される値（例えば、３５〜５０％程度）とする。渋滞区間の進入地点でバッテリ残量が必要バッテリ残量Ｇ以上となっていれば、渋滞区間をＥＶ走行モードで走行しても、渋滞区間の終了地点でバッテリ９のバッテリ残量の下限規格値Ｆを下回らないことになる。
【００９０】
次に、現在位置から渋滞区間終了地点までの区間について、推奨走行モードのスケジュールを規定する（Ｓ６０６）。具体的には、渋滞区間の進入地点に到達するまでＥＶ走行モードで走行した場合に、渋滞区間の進入地点におけるバッテリ残量が必要バッテリ残量Ｇ未満となる場合には、渋滞区間の進入地点におけるバッテリ残量が必要バッテリ残量Ｇ以上となるように、渋滞区間の進入地点手前の１または複数の区間について、ＨＶ走行モードを推奨走行モードとする。また、渋滞区間の進入地点に到達するまでＥＶ走行モードで走行しても、渋滞区間の進入地点におけるバッテリ残量が必要バッテリ残量Ｇ以上となる場合には、渋滞区間手前も渋滞区間もＥＶ走行モードを推奨走行モードとする。
【００９１】
上記渋滞情報受信時処理により推奨走行モードのスケジュールが規定された場合には、走行時処理において、この渋滞情報受信時処理により規定された推奨走行モードのスケジュールおよび車両の現在位置に基づいて車両が位置する区間における推奨走行モードに対応するアクセル開度の範囲をインジケータに表示する。
【００９２】
本実施形態では、上記したように制御指標（目標ＳＯＣ）のスケジュールを規定することなく、推奨走行モードのスケジュールを規定する。
【００９３】
上記した構成によれば、渋滞情報を受信する受信手段（ＶＩＣＳ受信機１７）と、この渋滞情報に基づいて走行先に渋滞区間が存在することを判定した場合、モータを動力源として渋滞区間を走行した場合にモータを駆動するバッテリで消費される消費電力を算出する消費電力算出手段（Ｓ６０２）と、この消費電力に基づいて、渋滞区間をモータを動力源として走行した場合に渋滞区間の終了地点でバッテリ残量が予め定められた下限規格値以上となるような渋滞区間の進入地点で必要とされる必要バッテリ残量を特定する必要バッテリ残量特定手段（Ｓ６０４）と、を備え、アクセル操作スケジュール規定手段は、渋滞区間の進入地点におけるバッテリ残量が必要バッテリ残量以上となるように、渋滞区間の進入地点手前の１または複数の区間について、バッテリの充電が可能となるようなアクセル操作を推奨アクセル操作とし、渋滞区間については、モータを動力源とした走行となるようなアクセル操作を推奨アクセル操作として、推奨走行モードのスケジュールを規定する。そして、車両が位置する区間において低燃費走行に適した推奨走行モードに対応するアクセル開度の範囲が表示される。したがって、モータのみを動力源とする走行モードで渋滞区間を走行しても、バッテリ残量が予め定められた下限規格値未満となることなく燃費の良好な走行を実現することが可能となる。
【００９４】
なお、アクセル操作スケジュール規定手段は、渋滞区間の進入地点に到達するまでモータを動力源とする走行モードで走行するときに、渋滞区間の進入地点におけるバッテリ残量が上記必要バッテリ残量未満となると判定した場合に、上記したような推奨走行モードのスケジュールを規定してもよい。
【００９５】
渋滞区間のような停車回数の多い区間では、補機の消費電力が大きくなるため、停車中にバッテリ残量が予め定められた下限規格値未満となり、エンジンを始動して発電する状況がうまれやすい。このため、渋滞手前で多少普段より非効率であってもハイブリッド走行を行うことで充電量を増やしておき、渋滞区間はモータ走行を多用してもバッテリ残量を予め定められた下限規格値以上で維持させた方が燃費の良好な走行となる。したがって、走行先の区間に渋滞が発生したことを判定した場合に、上記したように推奨走行モードのスケジュールを規定することで、ＥＶ走行モードで渋滞区間を走行しても、バッテリ残量が予め定められた下限規格値未満とならないように、渋滞区間の手前でＨＶ走行を多用して渋滞区間の手前でバッテリを充電し、渋滞区間ではＥＶ走行モードで走行することが可能となり、目的地までの区間全体の燃費を向上することが可能となる。
【００９６】
（その他の実施形態）
上記第１、第２実施形態では、モータに電力を供給するバッテリの充電量の制御目標値（目標ＳＯＣ）を制御指標として、制御指標のスケジュールを規定する例を示したが、目標ＳＯＣに限定されるものではなく、目標ＳＯＣ以外のデータを制御指標として制御指標のスケジュールを規定してもよい。つまり、ある区間に進入する時のＳＯＣを「ｂ」、退出する時のＳＯＣを「ｃ」とした場合に、区間中の制御でＳＯＣをｂからｃに推移させることができる制御指標であればどのような値でもよい。
【００９７】
また、上記第１、第２実施形態では、出発地から目的地までの経路について推奨走行モードのスケジュールを規定したが、必ずしも出発地から目的地に到達するまでの経路について目標ＳＯＣのスケジュールを規定する必要はなく、出発地から目標とする地点に到達するまでの経路内の任意の区間について低燃費走行となるような推奨走行モードのスケジュールを規定するようにしてもよい。
【００９８】
また、上記第１、第２実施形態では、目的地に到着した際に、出発地から目標とする地点に到達するまでの経路について低燃費走行となるような目標ＳＯＣのスケジュールを道路区間毎に規定し、この目標ＳＯＣのスケジュールに基づいて出発地から目標とする地点に到達するまでの経路について低燃費走行となるような推奨走行モードのスケジュールを道路区間毎に規定し、規定した各スケジュールを耐久記憶媒体２３に記憶させたが、目標ＳＯＣのスケジュールを規定するタイミング、推奨走行モードのスケジュールをタイミングは、上記したタイミングに限定されるものではない。
【００９９】
また、上記第１〜第３実施形態では、Ｓ５１０にて、推奨走行モードに対応するアクセル開度の範囲を、アクセル開度に応じてアクセル開度を示すインジケータに表示したが、このようなアクセル開度を示すインジケータを用いることなく、運転者が推奨走行モードの認識が可能となるような他の表示手法を用いてアクセル操作を誘導する表示を行うようにしてもよい。
【０１００】
また、上記第１実施形態では、Ｓ５１０にて、推奨走行モードに対応するアクセル開度の範囲を、インジケータ上に点滅させて表示したが、例えば、推奨走行モードに対応するアクセル開度の範囲を、周囲の色と異なる発光色で常時発光させるなど、点滅表示以外の手法を用いて、推奨走行モードに対応するアクセル開度の範囲を表示してもよい。
【０１０１】
また、上記第１、第２実施形態では、図１０に示した走行時処理において、出発地から乗員の操作に応じて特定した目的地までの経路を計画区間として特定したが、必ずしも目的地を特定する必要はなく、例えば、走行履歴を参照して走行中の道路と一致する経路が存在する場合に、その経路の到着地点を目標とする地点とすることもできる。
【０１０２】
また、上記第３実施形態では、渋滞情報に基づいて走行先に渋滞区間があることを判定した場合に、この渋滞情報を用いて推奨走行モードのスケジュールを規定したが、必ずしも渋滞区間である必要はなく、例えば、渋滞情報に基づいて走行先に混雑区間があることをについても同様にして、推奨走行モードのスケジュールを規定するようにしてもよい。
【０１０３】
なお、上記実施形態における構成と特許請求の範囲の構成との対応関係について説明すると、ＧＰＳ受信機１１、方位センサ１２および車速センサ１３から取得した現在位置を特定するための情報に基づいて現在位置を特定する処理が現在位置特定手段に相当し、Ｓ３０８、Ｓ６０６がアクセル操作スケジュール規定手段に相当し、Ｓ３０６が制御指標規定手段に相当し、Ｓ５１０が表示手段に相当し、Ｓ２００が情報記憶手段に相当する。
【符号の説明】
【０１０４】
１    駆動制御装置
２    発電機
３    モータ
４    差動装置
５ａ  タイヤ
５ｂ  タイヤ
６    インバータ
７    ＤＣリンク
８    インバータ
９    バッテリ
１０  ＨＶ制御部
１１  ＧＰＳセンサ
１２  方位センサ
１３  車速センサ
１４  地図ＤＢ記憶部
１５  勾配センサ
１６  表示部
２０  ナビゲーションＥＣＵ
２１  ＲＡＭ
２２  ＲＯＭ
２３  耐久記憶媒体
２４  制御部 
【図１】
2011025778.tif 000003
【図２】
2011025778.tif 000004
【図３】
2011025778.tif 000005
【図４】
2011025778.tif 000006
【図５】
2011025778.tif 000007
【図６】
2011025778.tif 000008
【図７】
2011025778.tif 000009
【図８】
2011025778.tif 000010
【図９】
2011025778.tif 000011
【図１０】
2011025778.tif 000012
【図１１】
2011025778.tif 000013
【図１２】
2011025778.tif 000014
【図１３】
2011025778.tif 000015
【図１４】
2011025778.tif 000016